(57)【要約】  光ファイバ固定構造は、光ファイバの被覆が除去されてベアファイバが露出した素線露出部の少なくとも一部と、前記素線露出部と前記光ファイバの被覆を備える被覆部との境界部と、を内部に収容するファイバ収容溝が形成されたファイバ収容部と、前記ファイバ収容溝内に充填され、前記素線露出部の少なくとも一部と、前記境界部と、を固定する固定樹脂と、を備え、前記ファイバ収容溝を前記光ファイバの長手方向に垂直な断面から見た断面視において、前記素線露出部の全体および前記境界部の全体が前記ファイバ収容溝内に収容されており、かつ、前記固定樹脂は前記素線露出部の外周の全周および前記境界部の外周の全周を覆っている。
2020171058.tif 000002
【特許請求の範囲】
【請求項１】
光ファイバの被覆が除去されてベアファイバが露出した素線露出部の少なくとも一部と、前記素線露出部と前記光ファイバの被覆を備える被覆部との境界部と、を内部に収容するファイバ収容溝が形成されたファイバ収容部と、
前記ファイバ収容溝内に充填され、前記素線露出部の少なくとも一部と、前記境界部と、を固定する固定樹脂と、
を備え、
前記ファイバ収容溝を前記光ファイバの長手方向に垂直な断面から見た断面視において、前記素線露出部の全体および前記境界部の全体が前記ファイバ収容溝内に収容されており、かつ、前記固定樹脂は前記素線露出部の外周の全周および前記境界部の外周の全周を覆っている、光ファイバ固定構造。
【請求項２】
前記断面視において、前記素線露出部、および前記境界部は前記ファイバ収容溝の底面及び側面とは離間している、請求項１に記載の光ファイバ固定構造。
【請求項３】
前記ファイバ収容溝の内部は、前記断面視において、前記固定樹脂によって満たされており、かつ、前記固定樹脂は前記ファイバ収容溝の外部に突出している、請求項１又は２に記載の光ファイバ固定構造。
【請求項４】
前記ファイバ収容溝は、前記光ファイバの前記被覆部の一部を内部に収容し、
前記固定樹脂は、前記断面視において、前記ファイバ収容溝内に収容された前記被覆部の外周の全部を覆っている、請求項１から３のいずれか１項に記載の光ファイバ固定構造。
【請求項５】
請求項１から４のいずれか１項に記載の光ファイバ固定構造と、
前記ベアファイバの端部に接続され、前記ベアファイバの断面積よりも大きい断面積を有するエンドキャップと、
を備える、レーザ伝送ケーブル。
【請求項６】
請求項５に記載のレーザ伝送ケーブルと、
前記レーザ伝送ケーブルを伝搬する光を出射する少なくとも一つの光源とを備える、レーザ装置。
【発明の詳細な説明】
【技術分野】
【０００１】
本発明は、光ファイバ固定構造、光ファイバ固定構造を備えたレーザ伝送ケーブル、及びレーザ装置に関する。
本願は、２０１９年２月２１日に日本に出願された特願２０１９−０２９３６７号に基づき優先権を主張し、その内容をここに援用する。
【背景技術】
【０００２】
ファイバレーザ装置は、集光性に優れ、パワー密度が高く、小さなビームスポットとなる光が得られることから、レーザ加工分野、医療分野等の様々な分野において用いられている。【０００３】
ファイバレーザ装置は、発振器から出射される高出力のレーザ光を伝送させるために、内部に光ファイバが配置されたレーザ伝送ケーブルを有する。ファイバレーザ装置は、光ファイバによってレーザ光を伝搬させ、光ファイバの出射端に接続される石英ブロックを介してレーザ光を出射する。石英ブロック及び石英ブロックに接続された光ファイバは、一般に筐体の内部において樹脂によって固定されている。このようなファイバレーザ装置におけるレーザ光の出射端側の構造は、例えば、特許文献１に開示されている。
【先行技術文献】
【特許文献】
【０００４】
【特許文献１】日本国特開２０１８−００４７７０号公報
【発明の概要】
【発明が解決しようとする課題】
【０００５】
ところで、レーザ伝送ケーブルの実際の使用環境では、例えば、樹脂が硬化する際の硬化収縮による樹脂の体積の変化により、樹脂により接着固定されたファイバに残留応力や外部からの引張力がかかることが想定される。【０００６】
一方、レーザ加工において、レーザ光のビーム品質は加工品質に大きな影響を及ぼすため、レーザ伝送ケーブルには、伝送するレーザ光のビーム品質を維持する機能が求められる。光ファイバを部分的に樹脂（固定樹脂）で接着固定した場合、固定樹脂の硬化収縮により光ファイバの一部に曲がりや応力が加わり、ビーム品質を劣化させる可能性がある。【０００７】
そこで、本発明は、光ファイバを伝搬するレーザ光のビーム品質の劣化を抑制することが可能な光ファイバ固定構造、光ファイバ固定構造を用いたレーザ伝送ケーブル、及び、レーザ装置を提供することを目的とする。
【課題を解決するための手段】
【０００８】
上記課題を解決するため、本発明の一態様に係る光ファイバ固定構造は、光ファイバの被覆が除去されてベアファイバが露出した素線露出部の少なくとも一部と、前記素線露出部と前記光ファイバの被覆を備える被覆部との境界部と、を内部に収容するファイバ収容溝が形成されたファイバ収容部と、前記ファイバ収容溝内に充填され、前記素線露出部の少なくとも一部と、前記境界部と、を固定する固定樹脂と、を備え、前記ファイバ収容溝を前記光ファイバの長手方向に垂直な断面から見た断面視において、前記素線露出部の全体および前記境界部の全体が前記ファイバ収容溝内に収容されており、かつ、前記固定樹脂は前記素線露出部の外周の全周および前記境界部の外周の全周を覆っている。【０００９】
このような構成により、素線露出部および境界部とファイバ収容溝の壁との間にある固定樹脂が硬化収縮したときに発生する残留応力および引張力は、光ファイバの全周において均一に分布することになる。この結果、光ファイバがファイバ収容溝内に固定されたときに、光ファイバに曲がりや不均一な応力が加わることを抑制でき、光ファイバを伝搬するレーザ光のビーム品質の劣化を抑制することができる。【００１０】
また、前記断面視において、前記素線露出部、および前記境界部は前記ファイバ収容溝の底面及び側面とは離間していてもよい。【００１１】
このような構成により、素線露出部とファイバ収容溝の壁との間にある樹脂が硬化収縮したときに発生する残留応力および引張力をさらに均一に分布させることが可能になり、ビーム品質の劣化を抑制することができる。【００１２】
また、前記ファイバ収容溝の内部は、前記断面視において、前記固定樹脂によって満たされており、かつ、前記固定樹脂は前記ファイバ収容溝の外部に突出していてもよい。【００１３】
また、前記ファイバ収容溝は、前記光ファイバの前記被覆部の一部を内部に収容し、前記固定樹脂は、前記断面視において、前記ファイバ収容溝内に収容された前記被覆部の外周の全部を覆っていてもよい。【００１４】
このような構成により、光ファイバを伝搬するレーザ光のビーム品質の劣化を抑制しつつ、光ファイバをファイバ収容部に対してより安定して固定することができる。【００１５】
また、上記課題を解決するため、本発明の一態様に係るレーザ伝送ケーブルは、上述の光ファイバ固定構造と、前記ベアファイバの端部に接続され、前記ベアファイバの断面積よりも大きい断面積を有するエンドキャップと、を備える。【００１６】
上記の光ファイバ固定構造によって、光ファイバを伝搬するレーザ光のビーム品質の劣化を抑制することが可能になる。このため、上記いずれかの光ファイバ固定構造を備えるレーザ伝送ケーブルでは、素線露出部とファイバ収容溝の壁との間にある固定樹脂が硬化収縮したときに発生する残留応力および引張力が光ファイバの全周において均一に分布するため、光ファイバを伝搬するレーザ光のビーム品質の劣化が抑制され得る。【００１７】
また、上記課題を解決するため、本発明の一態様に係るレーザ装置は、上記レーザ伝送ケーブルと、上記レーザ伝送用ケーブルを伝搬する光を出射する少なくとも一つの光源とを備える。【００１８】
上記の光ファイバ固定構造によって、光ファイバを伝搬するレーザ光のビーム品質の劣化を抑制することが可能になる。このため、上記レーザ伝送ケーブルを備えるレーザ装置では、素線露出部とファイバ収容溝の壁との間にある固定樹脂が硬化収縮したときに発生する残留応力および引張力が光ファイバの全周において均一に分布するため、ビーム品質の劣化が抑制されたレーザ光を出力することができる。
【発明の効果】
【００１９】
以上のように、本発明の一態様に係る光ファイバ固定構造によれば、光ファイバを伝搬するレーザ光のビーム品質の劣化を抑制することができる。また、本発明の一態様に係るレーザ伝送ケーブルによれば、光ファイバ固定構造において光ファイバが曲がることを抑制することで、光ファイバを伝搬するレーザ光のビーム品質の劣化を抑制することができる。また、本発明の一態様に係るレーザ装置においては、光ファイバ固定構造において光ファイバが曲がることを抑制することで、ビーム品質の劣化が抑制されたレーザ光を出力することができる。
【図面の簡単な説明】
【００２０】
【図１】本発明の第１実施形態に係るレーザ装置を示す概念図である。
【図２Ａ】図１に示す光ファイバ固定構造の一部を拡大して示す図である。
【図２Ｂ】図２ＡのII−II線に沿った光ファイバ固定構造の断面図である。
【図２Ｃ】図２ＡのIII−III断面矢視図である。
【図３】図１に示す光ファイバ固定構造の一部を拡大して示す斜視図である。
【図４Ａ】比較例における光ファイバ固定構造を光ファイバの長手方向に垂直な断面で断面視した場合の断面図である。
【図４Ｂ】実施例における光ファイバ固定構造を光ファイバの長手方向に垂直な断面で断面視した場合の断面図である。
【発明を実施するための形態】
【００２１】
以下、本発明に係る光ファイバ固定構造、光ファイバ固定構造を用いたレーザ伝送ケーブル、及び、レーザ装置の好適な実施形態について図面を参照しながら詳細に説明する。
【００２２】
（第1実施形態）
まず、本実施形態のレーザ装置の構成について説明する。
【００２３】
図１は、本実施形態に係るレーザ装置を示す概念図である。図１に示すように、本実施形態のレーザ装置１は、複数の光源１０と、光コンバイナ２０と、レーザ伝送ケーブル３０とを主な構成として備える。
【００２４】
それぞれの光源１０は、所定の波長の信号光を出射するレーザ装置とされ、例えば、ファイバレーザ装置や固体レーザ装置とされる。光源１０がファイバレーザ装置とされる場合、例えば共振器型のファイバレーザ装置や、ＭＯ−ＰＡ（Master Oscillator Power Amplifier）型のファイバレーザ装置が用いられる。それぞれの光源１０から出射する信号光は、例えば、１０７０ｎｍの波長の光とされる。なお、信号光とは、信号を含む光に限定されない。
【００２５】
それぞれの光源１０には、光源１０から出射する信号光を伝搬する光ファイバ１１が接続されている。光ファイバ１１は、ベアファイバと、ベアファイバの外周に形成された被覆層と、を備える。ベアファイバは、例えば石英系ガラスなどにより形成され、光を伝達する。ベアファイバは、コアと、コアを覆うクラッドと、を有している。被覆層は、例えばＵＶ硬化型樹脂により形成され、ベアファイバを覆っている。被覆層は、１層の樹脂層により形成されていてもよいし、プライマリ層およびセカンダリ層の２層を備えていてもよい。または、２層以上の樹脂層を備えていてもよい。
【００２６】
それぞれの光ファイバ１１は、例えば、コアの直径が２０μｍ程度のフューモードファイバとされる。従って、それぞれの光源１０から出射する信号光は、２から１０程度のＬＰ（Linearly Polarized）モードで、それぞれの光ファイバ１１を伝搬する。
【００２７】
光コンバイナ２０は、複数の光ファイバ１１のコアと光ファイバ２１のコアとを光学的に接続する部材である。光コンバイナ２０では、例えば、それぞれの光ファイバ１１と、光ファイバ１１よりも直径の大きい光ファイバ２１とが端面接続されている。
【００２８】
光ファイバ２１は、ベアファイバと、ベアファイバの外周に形成された被覆層と、を備える。ベアファイバは、例えば石英系ガラスなどにより形成され、光を伝達する。ベアファイバは、コアと、コアを覆うクラッドと、を有している。光ファイバ２１の被覆層は、光ファイバ１１と同様な構成であってもよい。
光ファイバ２１は、例えば、コアの直径が５０μｍから１００μｍ程度、クラッドの外径が３６０μｍ程度のマルチモードファイバであることが好ましい。
【００２９】
図２Ａは、図１に示すレーザ伝送ケーブル３０の一部を拡大して示す断面図である。図２Ａに示すレーザ伝送ケーブル３０は、光ファイバ２１の被覆部２３の一部、および素線露出部２２、エンドキャップ３２、筐体３３、ファイバ収容部３４、及び光ファイバ固定構造４０を主な構成として備える。
（方向定義）
本実施形態のレーザ伝送ケーブル３０では、光ファイバ２１が延びる方向を長手方向という。また、長手方向に沿った断面で見ることを断面視という。
【００３０】
レーザ伝送ケーブル３０に含まれる光ファイバ２１において、光ファイバ２１の光源１０側とは反対側である出射端側の端部では、被覆層が剥がされベアファイバが露出している。光ファイバ２１の長手方向において出射端側から、被覆層が設けられていない素線露出部２２と、被覆層が設けられている被覆部２３と、がこの順で設けられている。また、光ファイバ２１の出射端側の端面２１ｆは、例えば酸水素バーナ等によってエンドキャップ３２の一方の端面（入射面３２ｂ）の中央部に融着される。これにより、光ファイバ２１は、エンドキャップ３２に光学的に結合される。
【００３１】
エンドキャップ３２は、光ファイバ２１を伝搬する信号光を透過する柱状体（光透過柱状部材）である。本実施形態のエンドキャップ３２は、石英の柱状体である。エンドキャップ３２は、例えば、直径８ｍｍ、長さ２０ｍｍ程度の石英の円柱状体とされる。エンドキャップ３２は、入射面３２ｂ及び出射面３２ａを有している。入射面３２ｂは、上述のように光ファイバ２１の端面２１ｆと光学的に結合している。出射面３２ａでは、光ファイバ２１から入射した光が出射する。エンドキャップ３２の入射面３２ｂは、光ファイバ２１のコアの外径より大きい。
本実施形態のエンドキャップ３２の入射面３２ｂは、光ファイバ２１の端面２１ｆより大きい。
【００３２】
筐体３３は、エンドキャップ３２の一部、および光ファイバ２１の出射端側を収容する部材である。光ファイバ２１の被覆層が除去された素線露出部２２と、被覆層を備えた被覆部２３の一部が、筐体３３に収容されている。筐体３３は長手方向に延びる筒状に形成されており、内径は、エンドキャップ３２の外径よりも大きい。筐体３３には、エンドキャップ３２の一部及び光ファイバ２１の一部が挿入される。筐体３３内において、エンドキャップ３２の外周面がシリコーン系樹脂等の接着剤によって筐体３３の内周面に固定されることにより、エンドキャップ３２の位置が固定される。
【００３３】
筐体３３は、例えば、熱伝導性に優れる銅等の金属によって構成されることが好ましい。また、筐体３３の外周面は、レーザ装置１から出射される光のパワー等に応じて水冷されてもよく、空冷されてもよい。
【００３４】
次に、光ファイバ固定構造４０について説明する。図３は、光ファイバ固定構造４０の斜視図である。本実施形態の光ファイバ固定構造４０は、ファイバ収容部３４及び固定樹脂４２を有する。ファイバ収容部３４には、光ファイバ２１を収容するファイバ収容溝３５が形成されている。ファイバ収容溝３５には、例えば、素線露出部２２の一部と、被覆部２３の一部と、素線露出部２２および被覆部２３の境界部２１ａと、が収容されている。この例に限らず、少なくとも、素線露出部２２の一部と、境界部２１ａと、がファイバ収容溝３５に収容されていればよい。
【００３５】
ファイバ収容溝３５には、光ファイバ２１を固定するための固定樹脂４２が充填されている。
固定樹脂４２は、例えば、熱硬化性接着剤、熱可塑性接着剤、２液型接着剤等である。液体の固定樹脂４２が、ファイバ収容溝３５の内周面と光ファイバ２１の外周面との間の隙間を埋めるように充填され、その後硬化される。これにより、固定樹脂４２によって光ファイバ２１の出射端側がファイバ収容溝３５内に固定される。
【００３６】
図３に示す光ファイバ固定構造４０では、長手方向において、固定樹脂４２は、素線露出部２２の一部と、被覆部２３の一部と、境界部２１ａと、を含む領域を覆っている。固定樹脂４２は、当該領域において光ファイバ２１の外周の全周を覆っている。
この例に限らず、少なくとも、素線露出部２２の一部と境界部２１ａとにおいて、当該領域の全周が固定樹脂４２に覆われていればよい。
【００３７】
図２Ｂは、図２ＡのII−II線に沿った位置における光ファイバ固定構造４０の断面図である。II−II線はファイバ収容溝３５内に収容された素線露出部２２の長手方向に対して垂直な線である。
【００３８】
図２Ｂに示すように、本実施形態における光ファイバ固定構造４０においては、ファイバ収容部３４に形成されたファイバ収容溝３５の深さが光ファイバ２１のベアファイバの直径よりも大きい。
図２Ｂに示すように、素線露出部２２を収容したファイバ収容溝３５の断面視において、素線露出部２２の全体がファイバ収容溝３５内に収容されており、かつ、固定樹脂４２は素線露出部２２の外周の全周を覆っている。
【００３９】
なお、ファイバ収容溝３５の底面の形状は半円に限られない。例えば角型であってもよい。
【００４０】
断面視において、ファイバ収容溝３５の内部は、固定樹脂４２によって満たされていてもよい。また、固定樹脂４２はファイバ収容溝３５の外部に突出していてもよい。
また、図２Ｃに示すように、光ファイバ２１はファイバ収容溝３５の溝底に接触していない。このため、素線露出部２２、境界部２１ａ、および被覆部２３の全周が固定樹脂４２によって覆われている。
【００４１】
＜固定樹脂４２による光ファイバ２１の固定＞
上述のように、光ファイバ２１はファイバ収容溝３５内に固定樹脂４２によって固定されている。固定樹脂４２は、液状の樹脂が、例えば、熱、湿気、紫外線等に反応し硬化する、硬化型の樹脂である。一般にこのような樹脂は、硬化反応によって体積が収縮する。このため、硬化後の樹脂内に応力が残留する場合がある。
本実施形態では、光ファイバ２１とファイバ収容溝３５の壁面との間にある固定樹脂４２が硬化して収縮したときに、長手方向に垂直な方向における固定樹脂４２の体積変化が起こり、残留応力が光ファイバ２１の外周部に発生すると考えられる。
【００４２】
すなわち、素線露出部２２、境界部２１ａ、および被覆部２３は、図２Ｂおよび図２Ｃに示されている矢印の方向に向かってファイバ収容溝３５の側壁や底壁に向かって引っ張られる力（引張力）を受ける。
この引張力は、長手方向における固定樹脂４２の塗布される範囲が長いほど大きくなる。当該範囲が過度に長くなった場合には、光ファイバ２１に曲がりが加わった状態で固定される可能性がある。
【００４３】
ここで、図２Ｃに示すように、光ファイバ２１において、素線露出部２２の外径は被覆部２３の外径よりも小さいため、素線露出部２２とファイバ収容溝３５との距離Ｄ１は、境界部２１ａおよび被覆部２３とファイバ収容溝３５との距離Ｄ２よりも大きくなる。
このため、素線露出部２２の周囲の固定樹脂４２の体積変化量は、境界部２１ａおよび被覆部２３の周囲の固定樹脂４２の体積変化量よりも大きくなる。すなわち、素線露出部２２が受けるファイバ収容溝３５の側壁や底壁に向かって引っ張られる引張力は、境界部２１ａおよび被覆部２３が受ける引張力よりも大きい。
【００４４】
長手方向において素線露出部２２が受ける引張力の合計が、光ファイバ２１のベアファイバの剛性よりも大きくなった場合には、境界部２１ａを起点として素線露出部２２が曲がる可能性がある。
【００４５】
本実施形態において、光ファイバ固定構造４０は、光ファイバ２１の被覆が除去されてベアファイバが露出した素線露出部２２の少なくとも一部と、素線露出部２２と光ファイバの被覆を備える被覆部２３との境界部２１ａと、を内部に収容するファイバ収容溝３５が形成されたファイバ収容部３４と、ファイバ収容溝３５内に充填され、素線露出部２２の少なくとも一部と、境界部２１ａと、を固定する固定樹脂４２と、を備え、断面視において、素線露出部２２の全体および境界部２１ａの全体がファイバ収容溝３５内に収容されており、かつ、固定樹脂４２は素線露出部２２の外周の全周および境界部２１ａの外周の全周を覆っている。
【００４６】
このような構成により、素線露出部２２および境界部２１ａとファイバ収容溝３５の壁との間にある固定樹脂４２が硬化収縮したときに発生する残留応力および引張力は、光ファイバ２１の全周において均一に分布することになる。この結果、光ファイバ２１がファイバ収容溝３５内に固定されたときに光ファイバ２１に曲がりや不均一な応力が加わることを抑制でき、ビーム品質の劣化を抑制できる。
【００４７】
また、従来から光ファイバ２１をファイバ収容部３４に固定するための固定樹脂４２には、想定される残留応力や引張力で剥がれずに耐えられるだけの接着力が求められていた。固定樹脂４２の接着力を増加させるためには、光ファイバ２１と固定樹脂４２との接触面積、及びファイバ収容部３４と固定樹脂４２との接触面積を大きくすることが有効であることが知られていた。そこで、光ファイバの長手方向における固定樹脂４２の塗布される領域の長さを長くすることが考えらえる。
【００４８】
ここで、例えば、光ファイバ２１の被覆部２３の上に固定樹脂４２を塗布した場合には、ビーム品質の劣化は回避できる。しかし、固定樹脂４２と被覆部２３との接触面積だけでは、接着力が不十分となる場合がある。また、固定樹脂４２と各構成との接着が剥がれないように注意しながら使用することをエンドユーザに周知することで、固定樹脂４２に残留した応力や引張力の他にさらなる外的な力を光ファイバ２１の固定部にかけないように使用環境を限定することができる。しかし、結果的には、エンドユーザの作業性を下げてしまう可能性がある。
【００４９】
これに対して、本実施形態では素線露出部２２および境界部２１ａが固定樹脂４２によってファイバ収容部３４に固定される。このような構成により、光ファイバ２１の被覆部２３のみに固定樹脂４２を塗布してファイバ収容部３４に固定する場合と比べて、光ファイバ２１と固定樹脂４２との接触面積を広く確保することができる。このため、光ファイバ２１をファイバ収容溝３５に安定して固定できる。
【００５０】
また、断面視において、素線露出部２２、および境界部２１ａはファイバ収容溝３５の底面及び側面とは離間していてもよい。
これにより、素線露出部２２とファイバ収容溝３５の壁との間にある固定樹脂４２が硬化収縮したときに発生する残留応力および引張力をさらに均一に分布させることが可能になり、ビーム品質の劣化を抑制することができる。
【００５１】
ファイバ収容溝３５の内部は、断面視において、固定樹脂４２によって満たされており、かつ、固定樹脂４２はファイバ収容溝３５の外部に突出していてもよい。
【００５２】
これにより、断面視において、素線露出部２２の外周に配置される固定樹脂４２の厚さが過度に薄い箇所を無くすことができるので、光ファイバ２１へ不均一な応力が加わることや曲がりをより抑制できる。
【００５３】
ファイバ収容溝３５は、光ファイバ２１の被覆部２３の一部を内部に収容し、固定樹脂４２は、断面視において、ファイバ収容溝３５内に収容された被覆部２３の外周の全部を覆っていてもよい。
これにより、光ファイバ２１と固定樹脂４２との接触面積をより広く確保することができるため、光ファイバ２１を安定して固定できる。
【００５４】
本態様に係るレーザ伝送ケーブル３０は、上記の光ファイバ固定構造４０と、ベアファイバの端部に接続され、ベアファイバの断面積よりも大きい断面積を有するエンドキャップ３２とを備える。
本態様によれば、上記の光ファイバ固定構造４０によって、光ファイバ２１を伝搬するレーザ光のビーム品質の劣化を抑制することが可能になる。
【００５５】
本態様に係るレーザ装置１は、上記のレーザ伝送ケーブル３０と、レーザ伝送ケーブル３０を伝搬する光を出射する少なくとも一つの光源１０とを備える。
【００５６】
本態様によれば、上記の光ファイバ固定構造４０によって、光ファイバ２１を伝搬するレーザ光のビーム品質の劣化を抑制することができる。
【００５７】
（実施例）
本実施形態の有効性を確認するため以下のような実験を行った。なお、本発明は以下の実施例に限定されない。
出力される光のＢＰＰ(Beam Parameter Products)が予め測定された光源を用意し、図４Ｂに示す光ファイバ固定構造４０の光ファイバに当該光源からの光を入射させ、当該光ファイバ固定構造４０から出力された光のＢＰＰを測定した。図４Ｂに示す光ファイバ固定構造４０では、ファイバ収容溝３５内は固定樹脂４２で満たされているが、固定樹脂４２はファイバ収容溝３５の外部へ突出していない。
【００５８】
光ファイバ固定構造４０から出力された光のＢＰＰと光源から出力された光のＢＰＰとの差分、すなわち光ファイバ固定構造４０におけるビーム品質の劣化量としてΔＢＰＰを算出した。実験サンプルは全部で５個作成した。実験サンプルに使用した光ファイバは、被覆径φ５００μｍ、クラッド径φ２００μｍ、コア径φ１００μｍであり、ファイバ収容溝３５の深さは１．０ｍｍ、光ファイバにおける長手方向の固定樹脂４２の塗布長は４ｍｍである。実験結果を以下の表１に示す。
【００５９】
（比較例）
また、比較例として、図４Ａに示すような光ファイバ固定構造５０についても同様の実験を行った。すなわち、上記光源からの光を入射させ、比較例の光ファイバ固定構造５０から出力された光のＢＰＰを測定した。比較例の光ファイバ固定構造５０から出力された光のＢＰＰと光源から出力された光のＢＰＰとの差分、すなわち光ファイバ固定構造５０におけるビーム品質の劣化量としてΔＢＰＰを算出した。実験サンプルは全部で５個作成した。実験サンプルに使用した光ファイバは、被覆径φ５００μｍ、クラッド径φ２００μｍ、コア径φ１００μｍであり、ファイバ収容溝５５の深さは０．３ｍｍ、光ファイバにおける長手方向の固定樹脂４２の塗布長は４ｍｍである。実験結果を以下の表１に示す。
【００６０】
【表１】
2020171058.tif 000003
【００６１】
表１の結果から、実施例のΔＢＰＰは小さく、実施例の光ファイバ固定構造４０を伝搬したレーザ光のＢＰＰは殆ど劣化していないことがわかった。実施例の光ファイバ固定構造は、ファイバ収容溝内に配置された光ファイバの全長が固定樹脂４２によってファイバ収容溝３５内で固定されており、素線露出部２２とファイバ収容溝３５の壁との間にある固定樹脂４２が硬化収縮したときに発生する長手方向に交差する方向の引張力を均一に分布させることができる。
このため、接着固定されたときのファイバの曲がりを抑制でき、光ファイバ２１を伝搬するレーザ光のビーム品質の劣化を抑制することができたと考えられる。
【００６２】
一方で、比較例のΔＢＰＰは大きく、比較例の光ファイバ固定構造５０における光ファイバ２１を伝搬したレーザ光のＢＰＰが大きく劣化していることがわかった。比較例の光ファイバ固定構造５０は、断面視においてファイバ収容溝５５から光ファイバ２１が突出した状態で固定樹脂４２によってファイバ収容溝５５内で固定されており、光ファイバ２１の周方向において、ファイバ収容溝３５に隣接する下側で大きな引張力を受ける。このため、固定樹脂４２の硬化収縮による光ファイバ２１への引張力が不均一に加わり、レーザ光のＢＰＰが大きく劣化したと考えられる。
【００６３】
なお、本発明の技術的範囲は前記実施形態または実施例に限定されるものではなく、本発明の趣旨を逸脱しない範囲において種々の変更を加えることが可能である。
【００６４】
例えば、長手方向において、ファイバ収容溝３５の全長にわたって固定樹脂４２が充填されていなくてもよい。少なくとも素線露出部２２の一部、および境界部２１ａにおいて、それらの全周が固定樹脂４２に覆われていればよい。
【００６５】
このように、本発明の光ファイバ固定構造は比較例の光ファイバ固定構造に比べて光ファイバを伝搬するビーム品質の劣化を抑制できることが確認された。
【００６６】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００６７】
１・・・レーザ装置
１０・・・光源
２０・・・光コンバイナ
３０・・・レーザ伝送ケーブル
２１・・・光ファイバ
２１ａ・・・境界部
２２・・・素線露出部
２３・・・被覆部
３２・・・エンドキャップ（光透過柱状部材）
３３・・・筐体
３４・・・ファイバ収容部
３５・・・ファイバ収容溝
４０・・・光ファイバ固定構造
４２・・・固定樹脂
【図１】
2020171058.tif 000004
【図２Ａ】
2020171058.tif 000005
【図２Ｂ】
2020171058.tif 000006
【図２Ｃ】
2020171058.tif 000007
【図３】
2020171058.tif 000008
【図４Ａ】
2020171058.tif 000009
【図４Ｂ】
2020171058.tif 000010
【国際調査報告】
2020171058.tif 000011
2020171058.tif 000012
2020171058.tif 000013
2020171058.tif 000014
2020171058.tif 000015
2020171058.tif 000016